(57)【要約】【課題】印章で押印をする場合に、意図した場所にまっすぐ傾きなく押印するための押印補助具、及びこのような機能を持つ印章を提供する。【解決手段】押印補助具１０は、印章５０を保持するリブ２０が複数設けられた直方体状の本体部１２と、保持した印章５０の軸方向に直交する方向からみたときに略円弧状の曲面部３２を有しており、曲面部３２の一端側に、前記軸方向と略直交する直線部３４を有し、直線部３４から曲面部３２の端部３６へ向かうにつれて、本体部１２の端面１６Ｂに近づく三角形状の曲面状のガイド部３０と、本体部１２とガイド部３０を連結する連結部４０とからなる。本体部１２によって、正しい向きに保持された印章５０を、ガイド部３０の直線部３４を紙７０の押印欄７６から少し手前の位置に当てて、手前から奥に向かって曲面部３２を回転させて押印する。【選択図】図３
2019195939.tif 000002
【特許請求の範囲】
【請求項１】
印章を保持する保持部が設けられた本体部と、
保持した前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、前記本体部に保持された前記印章の印面に近づく曲面状のガイド部と、
前記本体部とガイド部を連結する連結部と、
を備える押印補助具。
【請求項２】
前記ガイド部は、
前記一端側から他端側へ向かうにつれて幅が狭くなる略三角形状である請求項１記載の押印補助具。
【請求項３】
前記ガイド部は、
前記他端側に前記軸方向と略直交する他の直線部を有する略四角形状である請求項１記載の押印補助具。
【請求項４】
前記印章の印面の少なくとも一部を覆う底面部と、
該底面部から前記印章の軸方向に沿って伸びる延長部と、
を有するキャップを備えるとともに、
前記延長部の長さにより、前記本体部に対する前記印章の長さ方向における位置を規定する請求項１〜３のいずれか一項に記載の押印補助具。
【請求項５】
前記本体部に、前記印章の向きを決めるための位置決め手段を設けた請求項１〜４のいずれか一項に記載の押印補助具。
【請求項６】
印章の側面から突出する連結部と、
前記連結部の端部に設けられ、前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、該印章の印面に近づく曲面状のガイド部と、
を備える印章。
【発明の詳細な説明】
【技術分野】
【０００１】
本発明は、印章を押印する場合に、意図した場所にまっすぐ傾きなく押すための押印補助具、及びこのような機能を持つ印章に関するものである。
【背景技術】
【０００２】
印章を押印する際の補助具として、例えば、下記特許文献１に記載の印章の補助器具がある。当該特許文献１によれば、丸棒状印章の印影面近くに、器具を装着し、印章の印影面上部を器具本体上部に合わせることにより、四角い印章がその方向を正確に押印することができるのと同様に、容易に正しい方向に押印することが記載されている。
【０００３】
また、下記特許文献２の押印補助具は、正方形又は長方形の矩形であり、少なくとも一端の直線状の端面を有し、中央に貫通孔を有する透明な板体と、印章を前記板体の前記貫通孔内に通し、該印章を該板体に対して略垂直に固定する固定手段とを備えることが記載されている。
【先行技術文献】
【特許文献】
【０００４】
【特許文献１】実用新案登録第３０４８１４９号公報
【特許文献２】実用新案登録第３２１４０５７号公報
【発明の概要】
【発明が解決しようとする課題】
【０００５】
しかしながら、上述した先行技術によれば、印章を書面に押印して書面上に表れる印影の方向を調整することはできるものの、印章を意図した場所にまっすぐ傾きなく押印することまでを補助するものではない。それは、印章がこれらの補助具に保持されていても、当該補助具を押印欄まで近づけるのは、押印する人自身であるため、直前で手がぶれて位置がずれることもあるためである。
【０００６】
本発明は、以上のような点に着目したもので、印章で押印する場合に、意図した場所にまっすぐ傾きなく押印するための押印補助具、及びこのような機能を持つ印章を提供することを、その目的とする。
【課題を解決するための手段】
【０００７】
本発明は、上記課題を解決するためになされたものであり、本発明の押印補助具は、印章を保持する保持部が設けられた本体部と、保持した前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、前記本体部に保持される印章の印面に近づく曲面状のガイド部と、前記本体部とガイド部を連結する連結部と、を備えることを特徴とするものである。
【０００８】
また、本発明の押印補助具にあっては、前記ガイド部は、前記一端側から他端側へ向かうにつれて幅が狭くなる略三角形状であることが好ましい。
【０００９】
あるいは、本発明の押印補助具にあっては、前記ガイド部は、前記他端側に前記軸方向と略直交する他の直線部を有する略四角形状であることが好ましい。
【００１０】
また、本発明の押印補助具にあっては、前記印章の印面の少なくとも一部を覆う底面部と、該底面部から前記印章の軸方向に沿って伸びる延長部と、を有するキャップを備えるとともに、前記延長部の長さにより、前記本体部に対する前記印章の長さ方向における位置を規定することが好ましい。
【００１１】
また、本発明の押印補助具にあっては、前記本体部に、前記印章の向きを決めるための位置決め手段を設けることが好ましい。
【００１２】
また本発明は、印章の側面から突出する連結部と、前記連結部の端部に設けられ、前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、該印章の印面に近づく曲面状のガイド部と、を備える印章でもある。
【発明の効果】
【００１３】
本発明によれば、印章を保持する保持部が設けられた本体部と、保持した前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、前記本体部に保持された印章の印面に近づく曲面状のガイド部と、前記本体部とガイド部を連結する連結部と、を備えることとした。このため、前記保持部によって、正しい向きに保持された印章を、前記ガイド部の直線部を紙の押印位置から少し手前の位置に当てて、手前から奥に向かって曲面部を回転させるようにすることで、意図した場所にまっすぐ傾かずに、押印することができる。
【図面の簡単な説明】
【００１４】
【図１】本発明の実施例１の押印補助具に印章を保持した状態を示す図であり、(a)は印章を使わないときに机に置いた状態を示す外観斜視図、(b)は印面を下向きにした状態を示す外観斜視図、(c)は印面を下向きにした状態を示す側面図である。
【図２】前記実施例１の押印補助具を示す図であり、(a)は外観斜視図、(b)は前記(a)を矢印Ｆ２ａ方向から見た側面図、(c)は前記(b)を矢印Ｆ２ｂ方向から見た上面図である。
【図３】前記実施例１の作用を示す図である。
【図４】本発明の実施例２の押印補助具を示す図であり、(a)は外観斜視図、(b)は前記(a)を矢印Ｆ４ａ方向から見た側面図、(c)は前記(b)を矢印Ｆ４ｂ方向から見た底面図である。
【図５】本発明の実施例３の押印補助具において、印章を保持する位置の位置決めの様子を示す側面図である。
【図６】本発明の実施例４の押印補助具を示す図であり、(a)及び(b)は印面側の端面を示す平面図、(c)は印章の天側の端面を示す平面図である。
【発明を実施するための形態】
【００１５】
以下、本発明を実施するための最良の形態を、実施例に基づいて詳細に説明する。
【実施例１】
【００１６】
図１〜図３を参照しながら、本発明の実施例１を説明する。図１は、本実施例の押印補助具に印章を保持した状態を示す図であり、(a)は印章を使わないときに机に置いた状態を示す外観斜視図、(b)は印面を下向きにした状態を示す外観斜視図、(c)は印面を下向きにした状態を示す側面図である。図２は、本実施例の押印補助具を示す図であり、(a)は外観斜視図、(b)は前記(a)を矢印Ｆ２ａ方向から見た側面図、(c)は前記(b)を矢印Ｆ２ｂ方向から見た上面図である。
【００１７】
図１及び図２に示すように、押印補助具１０は、印章５０を保持する本体部１２と、押印をガイドするガイド部３０と、前記本体部１２とガイド部３０を連結する連結部４０により構成される。
【００１８】
本体部１２は、本実施例では、外形が略直方体状であって、対向する一対の端面１６Ａ，１６Ｂと、これらの間に形成された側面１４Ａ〜１４Ｃを有している。前記端面１６Ａと１６Ｂの間には、印章５０を挿入するための略円筒状の貫通孔１８が形成されている。該貫通孔１８の内周面には、印章５０を保持するための複数のリブ２０が貫通孔１８の長さ方向に沿って適宜間隔で設けられている。リブ２０は、図示の例では、断面略半円状の突起となっているが、この形状に限定されるものではない。また、リブ２０の数や長さも図示の例に限定されるものではない。
【００１９】
ガイド部３０は、本実施例では、湾曲した略三角形状となっている。ガイド部３０の曲面部３２は、前記貫通孔１８の軸方向（リブ２０で保持した印章５０の軸線方向）に直交する方向から見たときに略円弧状となっている。そして、略円弧状の部分の一端側に、前記軸方向と略直交する直線部３４を有し、該直線部から円弧状の部分の他方の端部３６へ向かうにつれて、前記本体部１２に保持された印章５０の印面５４に近づく形状となっている。
【００２０】
連結部４０は、前記本体部１２とガイド部３０を連結するもので、形状は特に限定されるものではないが、本実施例では、前記端面１６Ａからガイド部３０の直線部３４の近傍にかけて形成された略三角形状の上面４２と、本体部１２の側面１４Ａ、１４Ｃから、ガイド部３０の曲面部３２の裏面にかけて形成された側面４４Ａ、４４Ｂと、本体部１２の端面１６Ｂ近傍から前記曲面部３２の裏面にかけて形成された底部４６から構成されている。このような形状の連結部４０によって、前記ガイド部３０は、前記直線部３４が、前記端面１６Ｂと同程度の高さに配置され、端部３６へ向かうにつれて、印章５０の印面５４に近づくように連結される。
【００２１】
以上のような構成の押印補助具１０は、例えば、全体がプラスチックにより形成され、リブ２０によって印章５０が軽圧入されるようにしてこれを保持している。なお、図２に示したリブ２０は一例であり、貫通孔１８の内周面を円筒状の弾性体で形成してもよいし、貫通孔１８に替えて、横断面形状がＣ字状であって印章５０の外径よりもやや小さな内径をなし、弾性変形することによって印章５０を保持するＣ字状穴や、印章５０の天部５６側全体を覆って印章５０を保持する凹部を用いてもよく、印章５０を保持できる構成・素材・配置であれば、図示の例に限定されない。
【００２２】
前記本体部１２に印章５０を保持させた状態が図１に示されている。図１(c)に示すように、印章５０の印面５４と、ガイド部３０の端部３６との間には、印章５０の長さ方向に距離ｄが生じるように印章５０を保持する。距離ｄは、例えば、２ｍｍ程度である。このように距離ｄを設けることにより、押印補助具１０に印章５０を保持した状態で、スタンプ台に印面５４を押し付けても、ガイド部３０の端部３６にインクが付くことがない。なお、印面５４が端部３６に対して所定の距離ｄで保持される状態において、印面５４は、図１(c)に示すように、曲面部３２の延長線上に位置している。
【００２３】
次に、図３を参照して、本実施例の作用を説明する。押印しようとする人は、まず、図１(c)に示す状態に印章５０を押印補助具１０に保持し、図示しないスタンプ台で印面５４にインクをつける。テーブル６０等には紙７０が置かれている。紙７０には、署名欄（もしくは記名欄）７４と、押印欄７６が設けられている。押印をしようとする人は、本体部１２の側面１４Ａ〜１４Ｃを持ち、紙７０の縁部７２と平行になるように、ガイド部３０の直線部３４を紙７０に当てる。なお、紙７０の縁部７２に限らず、紙７０に設けられた罫線等を目安に直線部３４を当てる位置を定めてもよい。
【００２４】
次に、図３(b)に示すように、曲面部３２を利用して、押印する人から見て手前から奥に向かって回転させるように印章５０を移動させると、図３(c)に示すように、意図した場所、すなわち、押印欄７６に、傾きなく印章５０を押すことができる。なお、押印補助具１０を回転させるに従って、押印欄７６に向かってガイド部３０の端部３６が近づいていくことが確認できるため、押印欄７６に押印する直前において正しい位置に印章５０が押されるか判断することができる。なお、印章５０を押印する方法は図３に示した手法に限定されるものではない。例えば、図示は省略するが、押印欄７６に重なる位置でガイド部３０を紙７０に当て、次いで、ガイド部３０を奥から手前に向かって引き摺りつつ、曲面部３２を利用して印章５０を手前から奥に向かって回転させ、端部３６が押印欄７６よりも手前に位置する頃合いで印章５０を押すようにしてもよい。また、押印する人から見て奥から手前に向かって回転させるようにして印章５０を押すことも可能である。この場合は、印章５０に対して押印補助具１０を取り付ける向きを、図１(c)に示す状態とは逆向きに取り付ける（図１(c)では印面５４の下方にガイド部３０が位置するが、印面５４の上方にガイド部３０が位置するように取り付ける）。そして押印欄７６よりも少し奥の位置にガイド部３０を紙７０に当てて、奥から手前に向かって回転すれば、同じように端部３６が近づいていくことが確認でき、意図した場所に印章５０を押すことができる。また、印章５０を使わないときは、図１(a)に示すように、ガイド部３０の直線部３４をテーブル６０等に接するように立てれば、印面５４が斜め上を向くようになるため、印章５０の印面５４がテーブル６０に接することなく汚さない。
【００２５】
このように、実施例１によれば、印章５０を挿入する貫通孔１８が形成され、該貫通孔１８の内周面に前記印章５０を保持するリブ２０が複数設けられた本体部１２と、前記貫通孔１８の軸方向に直交する方向からみたときに略円弧状の曲面部３２を有しており、該曲面部３２の一端側に、前記軸方向と略直交する直線部３４を有し、該直線部３４から前記曲面部３２の端部３６へ向かうにつれて、前記本体部１２に保持された印章５０の印面５４に近づく曲面状のガイド部３０と、前記本体部１２とガイド部３０を連結する連結部４０とを設けることとした。このため、前記本体部１２によって、正しい向きに保持された印章５０を、前記ガイド部３０の直線部３４を紙７０の押印欄７６から少し手前の位置に当てて、手前から奥に向かって曲面部３２を回転させるようにすることで、意図した場所にまっすぐ傾かずに、押印することができるという効果がある。
【００２６】
また、本実施例によれば、本体部１２が略直方体であるため、持ちやすいという利点がある。なお、直方体は一例であり、押印補助具１０を持ちやすく、印章５０の向きの調節がしやすいものであれば、他の形状であってもよい。
更に、本実施例によれば、ガイド部３０の曲面部３２が略三角形であるため、手前の直線部３４を手掛かりに、向きや位置を合わせながら紙７０に当てる。このとき、端部３６に向かって幅が細くなっているため、回転させる最中に狙いが定めやすい。
印章５０を押さないときは、印面５４が斜め上を向くようにして印章５０を安定して置くことができ、テーブル６０や紙７０を汚すおそれがない。
【００２７】
実施例１では、既存の印章５０に押印補助具１０を保持するようにしたが、印章５０自体に押印補助具１０の機能を持たせてもよい。すなわち、印章の側面から突出する連結部と、連結部の端部に設けられ、印章の軸方向に直交する方向からみたときに略円弧状の円弧状部を有しており、この円弧状部の一端側に、印章の軸方向と略直交する直線部を有し、この直線部から円弧状部の他端側へ向かうにつれて、印章の印面に近づく曲面状のガイド部と、を設けてもよい。
【実施例２】
【００２８】
次に、図４を参照しながら本発明の実施例２を説明する。なお、上述した実施例１と対応する構成要素には同一の符号を用いることとする（以下の実施例についても同様）。図４は、実施例２の押印補助具を示す図であり、(a)は外観斜視図、(b)は前記(a)を矢印Ｆ４ａ方向から見た側面図、(c)は前記(b)を矢印Ｆ４ｂ方向から見た底面図である。
【００２９】
上述した実施例１は、ガイド部３０が略三角形状であり、当該ガイド部３０と本体部１２を連結する連結部４０は、上面４２がガイド部３０に向かうにつれて細くなる形状としたが、実施例２は、ガイド部と連結部の形状を変えた例である。図４(a)〜(c)に示すように、本実施例の押印補助具８０は、本体部１２と、ガイド部９０と連結部１００により構成されている。本体部１２の構成は実施例１と同様であるので、説明を省略する。
【００３０】
ガイド部９０は、本実施例では、湾曲した長方形状となっている。ガイド部９０の曲面部９２は、前記貫通孔１８の軸方向に直交する方向から見たときに略円弧状となっている。そして、略円弧状の部分の一端側に、前記軸方向と略直交する直線部９４を有するとともに、円弧状の部分の他端側に、前記軸方向と略直交する直線部９６を有していて、該直線部９４から円弧状の部分の他端側の直線部９６へ向かうにつれて、本体部１２に保持された印章５０の印面５４に近づく形状となっている。また、本実施例では、前記直線部９４から直線部９６へかけて、略同一幅の長方形状となっている。
【００３１】
連結部１００は、本実施例では、本体部１２の端面１６Ａからガイド部９０の直線部９４にかけて形成された湾曲した長方形の上面１０２と（図４(b)参照）、本体部１２の側面１４Ａ、１４Ｃから、ガイド部９０の曲面部３２の両側端にかけて形成された側面１０４Ａ，１０４Ｂと、本体部１２の端面１６Ｂから、ガイド部９０の直線部９６にかけて形成された湾曲した底面１０６から構成されている。このような形状の連結部１００によって、前記ガイド部９０は、前記直線部９４が、前記端面１６Ｂと同程度の高さに配置され、端部の直線部９６へ向かうにつれて、印章５０の印面５４に近づくように連結される。
【００３２】
本実施例の基本的な作用・効果は、上述した実施例１と同様であるが、本実施例では、ガイド部９０が略長方形であるため、押印する人からみて手前の直線部９４を手掛かりに、向きや位置を合わせながら紙７０に当てる。このとき、本実施例では、印面５４に近い奥の部分が直線部９６となっているため、より位置が合わせやすくなる。
【００３３】
なお、本実施例で示した連結部１００の形状は一例であり、例えば、実施例１で示した連結部４０を本実施例に適用してもよいし、実施例１の連結部に本実施例の連結部１００を適用するようにしてもよい。またこれら連結部４０、１００の形状も一例であり、同様の効果を奏する範囲内で適宜形状変更が可能である。さらに、ガイド部３０、９０の形状も一例であり、三角形や四角形に限定されるものではない。例えばガイド部９０は略長方形になるものに限られず、台形状でも平行四辺形状でもよい。
【実施例３】
【００３４】
次に、図５を参照しながら本発明の実施例３を説明する。図５は、本実施例の押印補助具において、印章を保持する位置の位置決めの様子を示す側面図である。上述した実施例１では、例えば、図１(c)に示すように、印章５０を押印補助具１０で保持したときに、印面５４とガイド部３０の端部３６の、印章５０の長さ方向の距離ｄが約２ｍｍ程度となるようにした。本実施例では、印章５０を押印補助具１０にセットする人が距離ｄを意識せずとも容易に所定の距離ｄをおくことができる位置に、印章５０をセットするためのキャップ１２０を設けた例である。
【００３５】
キャップ１２０は、円形の底面１２２と、該底面１２２の周縁から延設された略円筒状の側面１２４により構成されている。前記側面１２４の長さＬは、キャップ１２０を嵌めた印章５０に、押印補助具１０を嵌めて、端面１６Ｂと側面１２４の周縁１２６が接したときに、本体部１２に対する印章５０の長さ方向における位置が規定され、上述した距離ｄが所定の長さとなるように設定されている。
【００３６】
本実施例による印章５０の位置決めの手順の一例を図５を参照して説明する。まず、図５(a)に示すように、キャップ１２０を印章５０の印面５４側から嵌める（図５(b)）。そして、図５(c)に示すように、印章５０の天部５６側に、押印補助具１０の端面１６Ｂを向けて貫通孔１８に印章５０を挿入する。
【００３７】
図５(d)に示すように、端面１６Ｂが、キャップ１２０の側面１２４の周縁１２６に当たるまで嵌めたら、その状態で、図５(e)に示すようにキャップ１２０を外す。すると、印面５４と、ガイド部３０の端部３６の、印章５０の軸方向の距離ｄが、所定の長さ（例えば２ｍｍ）となり、押印補助具１０の位置決めが容易に行われる。
【００３８】
なお、ここで示したキャップ１２０による位置決めは一例であり、例えば、印章５０を押印補助具１０にセットし、その後、印面５４側からキャップ１２０を嵌めて、端面１６Ｂとキャップ１２０の周縁１２６が当たるようにして、押印補助具１０の位置を調整するようにしてもよい。
【００３９】
また、キャップ１２０の構造自体も一例であり、例えば、押印補助具１０の本体部に略Ｌ字状の部材の短辺を回動（搖動）可能に取り付け、前記略Ｌ字状部材の長辺の端部に、前記印章５０の印面５４をカバーする部材を設けた構造とし、前記Ｌ字状部材の長辺の長さによって、前記距離ｄを規定するようにしてもよい。むろん、ここで示した構造も一例であり、印章５０の突き出す長さを決めることができるものであれば、他の構造としてもよい。このようなキャップを設けることにより、埃等の付着が防止できる上、印面５４を保護することも可能となる。
【実施例４】
【００４０】
次に、図６を参照しながら本発明の実施例４を説明する。図６は本実施例を示す図であり、(a)及び(b)は本体部の端面１６Ｂ側を示す平面図、(c)は、本体部の端面１６Ａ側を示す平面図である。上述した実施例１では、ガイド部３０の直線部３４や、直方体の本体部１２の縁部等を目安にして、セットする印章５０の向きを調整することが可能であるが、本実施例は、より簡単に印章５０の向きを調節可能としたものである。
【００４１】
図６(a)に示す押印補助具１０Ａは、本体部１２の印面５４側の端面１６Ｂに、貫通孔１８の上下左右に、ライン１３０が設けられている。印章５０をセットするときは、これらのライン１３０を目安にして、図６(b)に示すように、印面５４の向きをセットする。これにより、印章５０の向きを容易に合わせることができる。
【００４２】
また、図６(c)に示す押印補助具１０Ｂのように、他方の端面１６Ａにライン１３２を設けるようにしてもよい。印章５０の側面５２に、印面５４の上側を示すような印がある場合には、その印が上側のライン１３２に合うようにセットすることで印章５０の向きを合わせることができる。なお、ここに示したライン１３０、１３２は一例であり、矢印等であってもよいし、突起などであってもよい。印章５０の向きを合わせることができるものであれば、どのようなものであってもよい。また、本実施例では、端面１６Ａ、１６Ｂのいずれかにライン１３０、１３２を設けることとしたが、端面の双方に向きを決めるための印を設けてもよい。
【産業上の利用可能性】
【００４３】
本発明によれば、印章を保持する保持部が設けられた本体部と、保持した前記印章の軸方向に直交する方向からみたときに略円弧状の円弧状部を有しており、該円弧状部の一端側に、前記軸方向と略直交する直線部を有し、該直線部から前記円弧状部の他端側へ向かうにつれて、前記本体部に保持される印章の印面に近づく曲面状のガイド部と、前記本体部とガイド部を連結する連結部と、を備えることとした。このため、前記保持部によって、正しい向きに保持された印章を、前記ガイド部の直線部を紙の押印位置から少し手前の位置に当てて、手前から奥に向かって曲面部を回転させるようにすることで、意図した場所にまっすぐ傾かずに、押印することができるので、印章で押印するときの補助具の用途に適用できる。
【符号の説明】
【００４４】
１０、１０Ａ、１０Ｂ：押印補助具
１２：本体部
１４Ａ〜１４Ｃ：側面
１６Ａ、１６Ｂ：端面
１８：貫通孔
２０：リブ（保持部）
３０：ガイド部
３２：曲面部（円弧状部）
３４：直線部
３６：端部
４０：連結部
４２：上面
４４Ａ，４４Ｂ：側面
４６：底部
５０：印章
５２：側面
５４：印面
５６：天部
６０：テーブル
７０：紙
７２：縁部
７４：署名欄（ないし記名欄）
７６：押印欄
８０：押印補助具
９０：ガイド部
９２：曲面部（円弧状部）
９４、９６：直線部
１００：連結部
１０２：上面
１０４Ａ、１０４Ｂ：側面
１０６：底面
１２０：キャップ
１２２：底面（底面部）
１２４：側面（延長部）
１２６：周縁
１３０、１３２：ライン（位置決め手段）
【図１】
2019195939.tif 000003
【図２】
2019195939.tif 000004
【図３】
2019195939.tif 000005
【図４】
2019195939.tif 000006
【図５】
2019195939.tif 000007
【図６】
2019195939.tif 000008